(57)【要約】      （修正有）【課題】溶接加工が不必要で、スピード施行が可能となり、丈夫で低コストのハンガードア装置を提供する。【解決手段】要介護者用施設に設置されるハンガードア装置１であって、床面に立設されてなる戸先枠１１１、及び戸先枠１１１の後方において床面に立設されてなる戸尻枠と、戸先枠１１１及び戸尻枠の上端部を水平に連結してなる上枠１１５とからなる戸口部１１を備え、戸尻枠から後方に向かって胴縁１１６ａが水平に取り付けられ、上枠１１５の下端面に上吊レール３１が設けられ、上吊レール３１にハンガードア４１が吊下げられ、戸先枠１１１、戸尻枠、及び胴縁１１６ａがアルミ製であり、ハンガードア４１が木製であることを特徴とする。【選択図】図３
0003205223.tif 000002
【実用新案登録請求の範囲】
【請求項１】
要介護者用施設に設置されるハンガードア装置であって、
床面に立設されてなる戸先枠、及び前記戸先枠の後方において床面に立設されてなる戸尻枠と、前記戸先枠及び前記戸尻枠の上端部を水平に連結してなる上枠とからなる戸口部を備え、
前記戸尻枠から後方に向かって胴縁が水平に取り付けられ、
前記上枠の下端面に上吊レールが設けられ、
前記上吊レールにハンガードアが吊下げられ、
前記戸先枠、戸尻枠、及び胴縁がアルミ製であり、
前記ハンガードアが木製である
ことを特徴とするハンガードア装置。
【請求項２】
前記木製のハンガードアは、木製の芯板の表裏面に不燃性の保護薄板が張付けられてなる不燃性ドアである
ことを特徴とする請求項１に記載のハンガードア装置。
【考案の詳細な説明】
【技術分野】
【０００１】
本考案は、医療施設若しくは老人介護施設等の要介護者用施設における部屋の出入口に設置されるハンガードア装置に関する。
【背景技術】
【０００２】
従来、老人介護施設に設置されているハンガードア装置は、スチール製のハンガードアが取り付けられている。
【考案の概要】
【考案が解決しようとする課題】
【０００３】
従来技術は、ハンガードア装置がスチール製であることにより溶接作業を要する等のために、別の場所において予め一体に組立ててから設置現場に運搬しなければならなかったため、組立て、運搬、現場施工等に手間を要していた。
また、スチール製ハンガードア故に重くなる等、ハンガードアの開け閉めにおいても不便を来たしていた。
【課題を解決するための手段】
【０００４】
そこで、上記課題を解決する手段として本考案に係るハンガードア装置は、床面に立設されてなる戸先枠、及び前記戸先枠の後方において床面に立設されてなる戸尻枠と、前記戸先枠及び前記戸尻枠の上端部を水平に連結してなる上枠とからなる戸口部を備え、前記戸尻枠から後方に向かって胴縁が水平に取り付けられ、前記上枠の下端面に上吊レールが設けられ、前記上吊レールにハンガードアが吊下げられ、前記戸先枠、戸尻枠、及び胴縁がアルミ製であり、前記ハンガードアが木製であることを特徴とする要介護者用施設に設置されるハンガードア装置である。
【０００５】
また、前記木製のハンガードアは、木製の芯板の表裏面に不燃性の保護薄板が張付けられてなる不燃性ドアであっても好ましい。保護薄板は、不燃性の物であれば広く用いることが可能であるが、例えばガラス質材料と鉱物質繊維を圧縮固化したものを用いたものであることが好ましい。
【考案の効果】
【０００６】
本考案によれば、ハンガードア装置の戸先枠、戸尻枠、及び上枠の材質にアルミを使用しているため、溶接加工が不必要で、ボルトとナットを用いた組み立てによるスピード施工が可能となり、丈夫で低コストのハンガードア装置を提供できる。
【０００７】
また、戸先枠、及び戸尻枠をアルミで構成することによって、要介護者用施設でよく用いられる車椅子との衝突によっても戸口部の変形を軽減することができると共に、スチール製の戸先枠、及び戸尻枠に比べて衝突した車椅子への損傷も軽微とすることができる。
【０００８】
さらに、ハンガードア装置のハンガードアを木製としているために、木目の安らぎと相俟ってアルミの成形枠の高級感も感じられ、老人介護施設等の要介護施設の利用者に安心感を与えるハンガードア装置を提供できる。
【図面の簡単な説明】
【０００９】
【図１】ハンガードア装置１の斜視図である。
【図２】ハンガードア４１を開いた状態におけるハンガードア装置１の斜視図である。
【図３】ハンガードア装置１の正面図である。
【図４】ハンガードア装置１のＡ−Ａ断面図である。
【図５】ハンガードア装置１のＢ−Ｂ断面図である。
【考案を実施するための形態】
【００１０】
以下、本考案に係る実施の形態を、図を参照しながら詳しく説明する。
【００１１】
図１乃至図５に示すように、ハンガードア装置１の戸口部１１は、戸先枠１１１と、戸尻枠１１３と、上枠１１５とから構成されてなる。
【００１２】
また、上枠１１５の下面には上吊レール３１が取り付けられてなる。ハンガードア４１の上端に取り付けられてなる戸車３１１を掛けることによって、ハンガードア４１が戸先枠１１１と戸尻枠１１３との間で前後方向にスライドして開閉可能に吊設されてなる。
【００１３】
戸先枠１１１は、ハンガードア４１の前方位置に中空角柱形状に成形されてなる戸当り材１１１ａが床面１１７上に立設されてなり、戸当り材１１１ａの表裏面には中空角柱形状に成形されてなる戸先枠材１１１ｂ、１１１ｃがそれぞれ取り付けられてなる。戸当たり材１１１ａはハンガードア４１よりもわずかに厚みが厚く、また、戸先枠材１１１ｂ、１１１ｃよりも前後方向の厚みが薄く形成されてなる。閉じられた状態のハンガードア４１の前端面は戸先枠材１１１ｂ、１１１ｃの後端面よりもわずかに前方に入り込んだ位置で戸当り材１１１ａの後端面と当接するため、ハンガードア４１によって離隔された空間の遮蔽性を向上させることができる。
【００１４】
戸当り材１１１ａ及び戸先枠材１１１ｂ，１１１ｃは、アルミ型材により成形されており、戸当り材１１１ａと戸先枠材１１１ｂ，１１１ｃとは、係止部１１１ｄ，１１１ｅにおいてボルトにより固定されてなる。
【００１５】
戸当り材１１１ａの前端面には、床面１１７に立設されてなる戸先側竪枠２１が、戸当り材１１１ａと同一高さを有するブラケット２１１を介して固定されてなる。戸先側竪枠２１は中空の角柱形状に成形されてなり、前面が解放されてなる断面コの字型に形成される。
【００１６】
戸尻枠１１３は、表裏側に一対の戸尻枠材１１３ａ，１１３ｂによって構成されており、一方の戸尻枠材１１３ａと他方の戸尻枠材１１３ｂとは、中間にハンガードア４１が通過し得る戸袋口５１１を開けて配置されてなる。戸尻枠材１１３ａ，１１３ｂは、中空角柱形状に成形されてなり、それぞれの後端面から後方に向かって延出してなる薄板部１１３ｃ、１１３ｄが形成されてなる。
【００１７】
戸尻枠材１１３ａ，１１３ｂは、アルミ型材により成形されており、下端を床面１１７に固定してなる。
【００１８】
上枠１１５は、中空角柱形状に成形されてなる上枠中部材１１５ａの表裏面に、それぞれ中空角柱形状に成形されてなる上枠材１１５ｂ，１１５ｃを固定することにより形成されてなる。上枠中部材１１５ａは、前端が戸当り材１１１ａの上端部後側側面に当接されてなり、戸袋口５１１を通って戸尻枠材１１３ａ，１１３ｂの後方まで延出されてなる。一方、上枠材１１５ｂ，１１５ｃは、戸先枠１１１と戸尻枠１１３との間に配置されてなる。
【００１９】
上枠中部材１１５ａ及び上枠材１１５ｂ，１１５ｃは、アルミ型材により成形されており、上枠中部材１１５ａと上枠材１１５ｂ，１１５ｃとは、係止部１１５ｄ，１１５ｅにおいてボルトにより固定されてなる。
【００２０】
上枠中部材１１５ａの後端面には、床面１１７に立設されてなる戸尻側竪枠６１の前面上端部が固定されてなる。戸尻側竪枠６１は上枠中部材１１５ａと厚みを同一厚みに形成されてなる中空の角柱形状に成形されてなり、後面が解放されてなる断面コの字型に形成される。
【００２１】
戸尻枠材１１３ａ，１１３ｂと戸尻側竪枠６１との間には、胴縁１１６が水平方向に取り付けられてなる。胴縁１１６は、ハンガードア装置１の表面側に取り付けられてなる表側胴縁１１６ａと、ハンガードア装置１の裏面側に取り付けられてなる裏側胴縁１１６ｂが、ぞれぞれ複数本ずつ、高さ方向に互いに離間して配設されてなる。表側胴縁１１６ａの前端部は、前記戸尻枠材１１３ａの薄板部１１３ｃの表側面に固定されてなり、表側胴縁１１６ａの後端部は、戸尻側竪枠６１の表側面に固定されてなる。また、裏側胴縁１１６ｂの前端部は、前記戸尻枠材１１３ｂの薄板部１１３ｄの裏側面に固定されてなり、裏側胴縁１１６ｂの後端部は、戸尻側竪枠６１の裏側面に固定されてなる。
【００２２】
胴縁１１６は、アルミ型材により成形されており、胴縁１１６と戸尻枠材１１３ａ，１１３ｂの薄板部１１３ｃ、１１３ｄ、及び戸尻側竪枠６１とは、ボルトにより固定されてなる。
【００２３】
ハンガードア４１の下端には、ハンガードア４１の開閉時の振動を防止するためのガイドレール溝部４１１が形成され、ハンガードア４１のガイドレール溝部４１１を案内するガイド１１９を床面１１７に埋設して設けてなる。
【００２４】
ハンガードア装置１は、戸先側竪枠２１及び戸尻側竪枠６１を壁３に固定することにより設置されてなる。
【００２５】
また、ハンガードア４１を開けた状態、即ち、ハンガードア４１を収納するため、胴縁１１６と戸尻側竪枠６１に囲まれた空間が戸袋部５１に形成されてなる。なお、戸袋部５１は、ボード等で囲っても良いが、壁３に内蔵されてなることが好ましい。その場合、全体がシンプルとなるため、室内の出入口がスッキリとなり、見た目にも美しく、理想的で見栄えのある癒しの空間を提供できる。
【００２６】
ハンガードア４１の表裏面には、把手４１３が設けられてなり、これを引いて、ハンガードア４１の開閉を行う。なお、ハンガードアの開閉において、ハンガードア４１に内蔵式のぜんまい機構（図示略）等からなる自閉式ドアを採用しても好ましく、開時のみ手動で行うだけで良く、閉時は、ぜんまい機構の作動により自動的に閉まる、人に優しい便利なハンガードア装置１を提供できる。
【００２７】
また、ハンガードア４１は、木製扉板４１５で形成してなり、木目に安らぎを感じられるようにしてなる。なお、木製建具仕様として、フラッシュ構造の板材からなり、前記板材の両面に木目をプリントした化粧板を貼り合せたハンガードア４１であっても好ましい。なおハンガードア４１は、前記化粧板に代えて前記板材の表裏両面に不燃性の保護薄板が張付けられてなる不燃性ドアであっても好ましい。保護薄板は、ガラス質材料と鉱物質繊維を圧縮固化したものを用いたものであることが好ましい。
【００２８】
また、ハンガードア４１には、小窓４１７を設けても好ましい。
【００２９】
また、図１に記載している通り、ハンガードア４１を開いた際に、ハンガードア４１の引き残り部ができ、有効開口部と引き残り部の関係を踏まえ、必要な有効開口部を設計することとなる。
【００３０】
戸口部１１の材質がアルミの成型枠からなり、施工現場において溶接加工の必要が無くなるため、ノックダウン組み立てによるスピード施工が可能となる。なお、上枠１１５にもアルミ材を用いることで戸口部１１に統一性のあるデザインとすることが可能である。また上枠１１５は、アルミからなる戸先枠１１１と戸尻枠１１３とは別に木製であってもよい。上枠１１５には車椅子がぶつかる恐れはないので柔らかな木材を使用することに問題はなく、上枠１１５が木製であることによって、戸口部１１の雰囲気をより優しいものとすることができるからである。
【００３１】
なお、図３及び図５に示すように、上枠１１５の表裏面を覆うカバー１１８を設置することで、上吊レール３１を被覆して隠すことができ、ハンガードア装置１全体の外観をすっきりとした印象とすることができる。
【００３２】
以上説明したように、本考案のハンガードア装置１によれば、高級感があり丈夫で、且つコストダウンが可能で、人に優しい出入口の空間を実現できる。
【符号の説明】
【００３３】
１        ハンガードア装置
１１      戸口部
３１      上吊レール
４１      ハンガードア
５１      戸袋部
１１１    戸先枠
１１１ａ  戸当り材
１１１ｂ  戸先枠材
１１１ｃ  戸先枠材
１１１ｄ  係止部
１１１ｅ  係止部
１１３    戸尻枠
１１３ａ  戸尻枠材
１１３ｂ  戸尻枠材
１１３ｃ  薄板部
１１３ｄ  薄板部
１１５    上枠
２１１    ブラケット
３１１    戸車
４１３    把手
４１５    木製扉板
４１７    小窓
【図１】
0003205223.tif 000003
【図２】
0003205223.tif 000004
【図３】
0003205223.tif 000005
【図４】
0003205223.tif 000006
【図５】
0003205223.tif 000007